(57)【要約】【課題】コンデンサを備えたＬＥＤ照明装置の光出力を、白熱電球の光出力を変化させるときと同じように変化させることが可能な調光装置を提供する。【解決手段】調光装置１０は、一対の端子１，２、開閉部３、駆動部４、制御回路５、整流部６、電源部７および設定部８を備えている。制御回路５は、判定部９を備えている。判定部９は、整流部６に前記交流電圧が供給されてから所定時間が経過するまでの期間Ｔ１における第２の直流電圧Ｖ２に基づいて、照明負荷２１が前記ＬＥＤ照明装置と前記白熱電球との何れであるかを判定する。制御回路５は、判定部９により照明負荷２１が前記ＬＥＤ照明装置であると判定された場合、第１の直流電圧Ｖ１の最小値および最大値に対応する開閉部３の導通角以外の開閉部３の導通角が、判定部９により照明負荷２１が前記白熱電球であると判定された場合に比べて小さくなるように、駆動部４を制御する。【選択図】図１
2019033098.tif 000002
【特許請求の範囲】
【請求項１】
一対の端子と、
前記一対の端子間に接続された開閉部と、
前記開閉部を駆動するように構成される駆動部と、
前記駆動部を制御するように構成される制御回路と、
前記一対の端子間に前記開閉部と並列に接続され交流電圧を全波整流するように構成される整流部と、
前記整流部により全波整流された電圧から所定の直流電圧を生成して前記駆動部および前記制御回路それぞれに前記所定の直流電圧を供給するように構成される電源部と、
前記開閉部の導通角に対応する直流電圧である導通角用直流電圧を設定するように構成される設定部と
を備え、
前記制御回路は、前記駆動部を制御することで前記交流電圧の位相を制御するように構成され、かつ、前記設定部により設定された前記導通角用直流電圧の大きさに基づいて前記駆動部を制御することで、前記開閉部の導通角の大きさを変更するように構成され、
前記制御回路は、照明負荷がＬＥＤ照明装置と白熱電球との何れであるかを判定するよう構成される判定部を備え、
前記制御回路は、
前記判定部により前記照明負荷が前記ＬＥＤ照明装置と前記白熱電球との何れであると判定された場合でも、前記導通角用直流電圧の最小値および最大値それぞれに対応する前記開閉部の導通角が同じ大きさとなるように、前記駆動部を制御し、
前記判定部により前記照明負荷が前記ＬＥＤ照明装置であると判定された場合、前記導通角用直流電圧の最小値および最大値それぞれに対応する前記開閉部の導通角以外の前記開閉部の導通角が、前記判定部により前記照明負荷が前記白熱電球であると判定された場合に比べて小さくなるように、前記駆動部を制御するように構成される
ことを特徴とする調光装置。
【請求項２】
前記制御回路は、
前記判定部により前記照明負荷が前記白熱電球であると判定された場合に、前記導通角用直流電圧の増加に対して前記開閉部の導通角が一定の割合で増加するように前記駆動部を制御し、
前記判定部により前記照明負荷が前記ＬＥＤ照明装置であると判定された場合に、前記導通角用直流電圧の増加に対して前記開閉部の導通角が徐々に大きな割合で増加するように前記駆動部を制御する
ように構成される
ことを特徴とする請求項１に記載の調光装置。
【請求項３】
前記制御回路は、
前記判定部により前記照明負荷が前記ＬＥＤ照明装置であると判定された場合には、前記導通角用直流電圧の値に応じて前記ＬＥＤ照明装置用の第１のオン時間を決定し、かつ、前記交流電圧の絶対値が所定のしきい値以下となった時に前記開閉部をオンし、前記開閉部をオンしてから前記第１のオン時間が経過した時点で前記開閉部をオフし、
前記判定部により前記照明負荷が前記白熱電球であると判定された場合には、前記導通角用直流電圧の値に応じて前記白熱電球用の第２のオン時間を決定し、かつ、前記交流電圧の絶対値が所定のしきい値以下となった時に前記開閉部をオンし、前記開閉部をオンしてから前記第２のオン時間が経過した時点で前記開閉部をオフする
ように構成される
ことを特徴とする請求項１又は２に記載の調光装置。
【発明の詳細な説明】
【技術分野】
【０００１】
本発明は、照明負荷を調光する調光装置に関する。
【背景技術】
【０００２】
従来、照明器具（照明負荷）と、照明負荷を調光する調光装置とを備えた照明システムが知られている（例えば、特許文献１参照）。
【０００３】
特許文献１に記載された照明システムにおける調光装置は、ＦＥＴ（Field Effect Transistor）と、ＦＥＴのオン期間を設定する調光レベル設定部とを備えている。また、調光装置は、交流電源の交流電圧のゼロクロスを検出するゼロクロス検出部と、照明負荷への出力電流を検出する電流検出部と、ＦＥＴを制御する制御部とを備えている。制御部は、電流検出部により検出された出力電流の波形を計測する波形計測部を備えている。
【０００４】
照明負荷は、ＬＥＤ（Light Emitting Diode）などの光源を備えている。特許文献１には、照明負荷として、平滑部を備えた照明負荷（以下、第１照明負荷）と、平滑部を備えない照明負荷（以下、第２照明負荷）とが例示されている。
【０００５】
第１照明負荷は、例えば、全波整流ダイオードを具備する整流回路と、高周波阻止用のチョークコイルと、平滑部と、ＬＥＤとを備えている。平滑部は、チョークコイルを介して整流回路の出力端間に接続されて整流回路の出力電圧を平滑するコンデンサと、コンデンサの両端間に接続されてコンデンサの両端電圧を所定の直流電圧に変換するＤＣ／ＤＣ変換部とを備えている。ＬＥＤは、ＤＣ／ＤＣ変換部の出力端間に接続されている。ダイオードブリッジの入力端間に、調光装置と交流電源との直列回路が接続されることになる。
【０００６】
第２照明負荷は、例えば、ダイオードブリッジと、ＬＥＤとを備えている。ダイオードブリッジの出力端間に、ＬＥＤが接続されている。ダイオードブリッジの入力端間に、調光装置と交流電源との直列回路が接続されることになる。
【０００７】
特許文献１の調光装置は、交流電源の交流電圧を位相制御することによって、照明負荷を調光する。具体的には、調光装置は、交流電源の交流電圧の半周期においてＦＥＴがオンする期間（ＦＥＴの導通角）を制御することによって、照明負荷を調光する。
【０００８】
また、調光装置は、波形計測部により計測された波形の対称性もしくは非対称性を判定することによって、照明負荷が第１照明負荷と第２照明負荷との何れであるかを判定する。
【先行技術文献】
【特許文献】
【０００９】
【特許文献１】特開２０１０−８０２３８号公報
【発明の概要】
【発明が解決しようとする課題】
【００１０】
上述の調光装置では、交流電源の交流電圧を逆位相制御することで第１照明負荷を調光する場合、交流電圧の絶対値がゼロ（０付近）のときに、ＦＥＴがオフ状態からオン状態になる一方、交流電圧の絶対値がゼロよりも大きいときに、ＦＥＴがオン状態からオフ状態になる。そのため、調光装置では、ＦＥＴがオン状態からオフ状態になっても、第１照明負荷におけるコンデンサに電荷が蓄積されている可能性があり、コンデンサに蓄積された電荷がＬＥＤに供給される可能性がある。よって、この調光装置では、第１照明負荷の光出力が所望の光出力よりも大きくなる可能性があり、第１照明負荷の光出力を、例えば、白熱電球の光出力を変化させるときと同じように変化させることが難しい。
【００１１】
本発明の目的は、コンデンサを備えたＬＥＤ照明装置の光出力を、白熱電球の光出力を変化させるときと同じように変化させることが可能な調光装置を提供することにある。
【課題を解決するための手段】
【００１２】
本発明の一態様に係る調光装置は、一対の端子と、開閉部と、駆動部と、制御回路と、整流部と、電源部と、設定部とを備えている。前記開閉部は、前記一対の端子間に接続されている。前記駆動部は、前記開閉部を駆動するように構成される。前記制御回路は、前記駆動部を制御するように構成される。前記整流部は、前記一対の端子間に前記開閉部と並列に接続され交流電圧を全波整流するように構成される。前記電源部は、前記整流部により全波整流された電圧から所定の直流電圧を生成して前記駆動部および前記制御回路それぞれに前記所定の直流電圧を供給するように構成される。前記設定部は、前記開閉部の導通角に対応する直流電圧である導通角用直流電圧を設定するように構成される。前記制御回路は、前記駆動部を制御することで前記交流電圧の位相を制御するように構成され、かつ、前記設定部により設定された前記導通角用直流電圧の大きさに基づいて前記駆動部を制御することで、前記開閉部の導通角の大きさを変更（調整）するように構成されている。前記制御回路は判定部を備える。前記判定部は、照明負荷がＬＥＤ照明装置と白熱電球との何れであるかを判定するように構成されている。前記制御回路は、前記判定部により前記照明負荷が前記ＬＥＤ照明装置と前記白熱電球との何れであると判定された場合でも、前記導通角用直流電圧の最小値および最大値それぞれに対応する前記開閉部の導通角が同じ大きさとなるように、前記駆動部を制御するように構成される。前記制御回路は、前記判定部により前記照明負荷が前記ＬＥＤ照明装置であると判定された場合、前記導通角用直流電圧の最小値および最大値それぞれに対応する前記開閉部の導通角以外の前記開閉部の導通角が、前記判定部により前記照明負荷が前記白熱電球であると判定された場合に比べて小さくなるように、前記駆動部を制御するように構成される。
【発明の効果】
【００１３】
本発明の調光装置では、コンデンサを備えたＬＥＤ照明装置の光出力を、白熱電球の光出力を変化させるときと同じように変化させることが可能となる。
【図面の簡単な説明】
【００１４】
図面は本教示に従って一または複数の実施例を示すが、限定するものではなく例に過ぎない。図面において、同様の符号は同じか類似の要素を指す。
【図１】本実施形態の調光装置の回路図である。
【図２】本実施形態の調光装置における制御回路と電源部と設定部との概略構成図である。
【図３】本実施形態の調光装置の正面図である。
【図４】本実施形態の調光装置において照明負荷が白熱電球である場合に関し、整流部の入力電圧の電圧波形と、第２の直流電圧の電圧波形とを示す図である。
【図５】本実施形態の調光装置において照明負荷がＬＥＤ照明装置である場合に関し、整流部の入力電圧の電圧波形と、第２の直流電圧の電圧波形とを示す図である。
【図６】比較例の調光装置に関し、第１の直流電圧と開閉部の導通角との相関図である。
【図７】比較例の調光装置において照明負荷が白熱電球である場合に関し、開閉部の電圧波形と、開閉部に流れる電流の電流波形とを示す図である。
【図８】比較例の調光装置において照明負荷がＬＥＤ照明装置である場合に関し、開閉部の電圧波形と、開閉部に流れる電流の電流波形とを示す図である。
【図９】比較例の調光装置に関し、第１の直流電圧と照明負荷の光出力との相関図である。
【図１０】本実施形態の調光装置に関し、第１の直流電圧と開閉部の導通角との相関図である。
【図１１】本実施形態の調光装置において照明負荷がＬＥＤ照明装置である場合に関し、開閉部の電圧波形と、開閉部に流れる電流の電流波形とを示す図である。
【図１２】本実施形態の調光装置に関し、第１の直流電圧と照明負荷の光出力との相関図である。
【図１３】ＬＥＤ照明装置の一例を示す図である。
【発明を実施するための形態】
【００１５】
以下、本実施形態の調光装置１０について、図面を参照しながら詳細に説明する。
【００１６】
調光装置１０は、例えば、調光器である。調光器は、埋込型配線器具用の取付枠に取り付けられるように構成されている。
【００１７】
図１に示すように、調光装置１０は、一対の端子１，２と、一対の端子１，２間に接続された開閉部３と、開閉部３を駆動する駆動部４とを備えている。また、調光装置１０は、駆動部４を制御する制御回路５と、（外部の交流電源２０からの）交流電圧を全波整流する整流部６と、駆動部４および制御回路５それぞれに電力を供給する電源部７とを備えている。
【００１８】
一対の端子１，２間には、整流部６が電気的に接続されている。また、一対の端子１，２間には、交流電圧を出力する交流電源２０と照明負荷２１との直列回路を電気的に接続することができる。交流電源２０は、例えば、商用電源である。照明負荷２１は、例えば、白熱電球、ＬＥＤ照明装置などである。
【００１９】
ＬＥＤ照明装置としては、例えば、図１３に示す照明負荷（ＬＥＤランプ）１００が挙げられる。照明負荷１００は、コンデンサＣ１を備えたＬＥＤ照明装置である。なお、調光装置１０は、交流電源２０と照明負荷２１とを構成要件として含まない。また、以下では、説明の便宜上、調光装置１０の一対の端子１，２のうち、一方の端子（照明負荷２１に接続される側の端子）１を第１入力端子１と称し、他方の端子（交流電源２０に接続される側の端子）２を第２入力端子２と称する。また、以下では、説明の便宜上、コンデンサを備えたＬＥＤ照明装置を、単に、「ＬＥＤ照明装置」と略称することもある。
【００２０】
図１３に示すように、照明負荷１００は、一対の端子１０１，１０２と、コンデンサＣ１と、ダイオードブリッジ１０３と、変換部１０４と、光源部１０５と、制御回路１０６と、電源部１０７とを備えている。コンデンサＣ１は、一対の端子１０１，１０２間に接続され、交流電源２０からの交流電圧を平滑化する。ダイオードブリッジ１０３は、一対の端子１０１，１０２間にあってコンデンサＣ１と並列に接続される。すなわち、ダイオードブリッジ１０３の一対の入力端は、コンデンサＣ１の両端にそれぞれ接続される。ダイオードブリッジ１０３は、コンデンサＣ１で平滑化された交流電圧を全波整流する。変換部１０４は、例えばスイッチング素子を備えた昇圧回路（或いは定電流回路）である。変換部１０４は、ダイオードブリッジ１０３の出力端間に接続される。変換部１０４は、ダイオードブリッジ１０３により全波整流された電圧を直流電圧（或いは直流電流）に変換する。光源部１０５は、複数のＬＥＤを備える。光源部１０５は、変換部１０４の出力端間に接続され、変換部１０４から供給される電力により点灯される。制御回路１０６は、変換部１０４に接続され、変換部１０４のスイッチング素子を制御する。電源部１０７
は、例えば３端子レギュレータである。電源部１０７は、ダイオードブリッジ１０３で全波整流された電圧から所定の直流電圧（電源電圧）を生成し、生成した直流電圧を制御回路１０６に供給する。
【００２１】
なお、照明負荷１００において変換部１０４、制御回路１０６、および電源部１０７はオプションであり、照明負荷１００はこれらの要素を含まなくてもよい。またコンデンサＣ１は、ダイオードブリッジ１０３の出力端間に接続されていてもよい。
【００２２】
図１に戻って、開閉部３は、例えば、スイッチング素子である。スイッチング素子は、例えば、ＭＯＳＦＥＴ（Metal Oxide Semiconductor Field Effect Transistor）である。
【００２３】
開閉部３の第１主端子３１（本実施形態では、ドレイン端子）は、第１入力端子１と電気的に接続されている。開閉部３の第２主端子３２（本実施形態では、ソース端子）は、第２入力端子２と電気的に接続されている。なお、調光装置１０は、スイッチング素子としてＭＯＳＦＥＴを用いているが、これに限らない。スイッチング素子は、例えば、ＩＧＢＴ（Insulated Gate Bipolar Transistor）であってもよい。
【００２４】
駆動部４は、例えば、開閉部３のオンオフを制御する制御用ＩＣ（Integrated Circuit）である。駆動部４は、開閉部３の制御端子３３（本実施形態では、ゲート端子）と電気的に接続されている。また、駆動部４は、調光装置１０のグランドと電気的に接続されている。
【００２５】
制御回路５は、例えば、プログラムが搭載されたマイクロコンピュータ５１を含む。プログラムは、例えば、マイクロコンピュータ５１に予め設けられたメモリに記憶されている。制御回路５は、駆動部４と電気的に接続されている。また、制御回路５は、調光装置１０のグランドと電気的に接続されている。なお、調光装置１０は、制御回路５としてマイクロコンピュータ５１を用いているが、これに限らない。制御回路５は、例えば、ディスクリート部品を組み合わせて構成してもよい。
【００２６】
制御回路５は、駆動部４を制御することで交流電圧を逆位相制御するように構成されている。逆位相制御とは、交流電源２０の交流電圧がゼロのときに開閉部３をオフ状態からオン状態にし、交流電源２０の交流電圧がゼロ以外のときに開閉部３をオン状態からオフ状態にする制御のことを意味する。
【００２７】
制御回路５は、例えば、ダイオードブリッジ（整流部６）により全波整流された電圧に基づいて、交流電源２０の交流電圧がゼロになるとき（ゼロクロス）を検出する。本実施形態では、制御回路５は、後述の抵抗Ｒ２の両端間の電圧に基づいて、交流電源２０の交流電圧のゼロクロスを検出する。例えば、制御回路５は、抵抗Ｒ２の両端間の電圧の絶対値が所定のしきい値Ｖｒｅｆ１（ゼロ付近）以下となったときに、交流電源２０の交流電圧のゼロクロスを検出する。制御回路５は、例えば、交流電源２０の交流電圧がゼロのときを検出する手段として、ゼロクロス検出部５０を備える。例えばゼロクロス検出部５０は、抵抗Ｒ２の両端間の電圧の絶対値と所定のしきい値Ｖｒｅｆ１とを比較するコンパレータ５００を備える。ゼロクロス検出部５０の出力は、制御回路５のマイクロコンピュータ５１に出力される。なお、ゼロクロス検出部５０は、上記マイクロコンピュータ５１に含まれていてもよい。例えば、マイクロコンピュータ５１のＡ／Ｄ変換ポートに入力された抵抗Ｒ２の両端間の電圧を、マイクロコンピュータ５１が備えるデジタル値（しきい値Ｖｒｅｆ１）と比較する構成であってもよい。
【００２８】
整流部６は、例えば、ダイオードブリッジである。ダイオードブリッジにおける一対の入力端子６１，６２のうちの一方の入力端子６１は、第１入力端子１と電気的に接続されている。ダイオードブリッジにおける一対の入力端子６１，６２のうちの他方の入力端子６２は、第２入力端子２と電気的に接続されている。ダイオードブリッジにおける一対の出力端子６３，６４のうちの一方の出力端子（正出力端子）６３は、電源部７と電気的に接続されている。ダイオードブリッジにおける一対の出力端子６３，６４のうちの他方の出力端子（負出力端子）６４は、調光装置１０のグランドと電気的に接続されている。これにより、整流部６は、交流電源２０の交流電圧を全波整流することが可能となる。
【００２９】
電源部７は、整流部６により全波整流された電圧から所定の直流電圧を生成するように構成されている。また、電源部７は、駆動部４および制御回路５それぞれに上記所定の直流電圧を供給するように構成されている。電源部７は、例えば、図２に示すように、３端子レギュレータ（定電圧素子）７１と電解コンデンサ７２とを備える。３端子レギュレータ７１の入力端子は、上記ダイオードブリッジにおける上記一方の出力端子６３と電気的に接続されている。３端子レギュレータ７１の出力端子は、電解コンデンサ７２の高電位側と電気的に接続されている。３端子レギュレータ７１のグランド端子は、調光装置１０のグランドと電気的に接続されている。また、電解コンデンサ７２の高電位側は、駆動部４および制御回路５と電気的にそれぞれ接続されている。電解コンデンサ７２の低電位側は、調光装置１０のグランドと電気的に接続されている。これにより、電源部７は、整流部６により全波整流された電圧から上記所定の直流電圧を生成して駆動部４および制御回路５それぞれに上記所定の直流電圧を供給することが可能となる。なお、調光装置１０の電源部７は３端子レギュレータ７１を備えるが、これに限らない。電源部７は、例えば、３端子レギュレータ７１に変えてＤＣ−ＤＣコンバータを備えていてもよい。
【００３０】
調光装置１０は、開閉部３、駆動部４、制御回路５、整流部６および電源部７を備えたモジュール基板を収納するケース１１（図３参照）と、開閉部３の導通角に対応する第１の直流電圧（導通角用直流電圧）Ｖ１を設定する設定部８とを備えている。モジュール基板とは、導体パターンが形成されたプリント基板に、開閉部３、駆動部４、制御回路５、整流部６および電源部７それぞれを構成する複数の電子部品が電気的に実装された基板を意味する。開閉部３の導通角は、開閉部３がオン状態である期間（以下、「開閉部３のオン期間」）に相当する。
【００３１】
ケース１１は、上記取付枠に取り付けられるように構成されている。上記取付枠は、例えば、壁に予め埋め込み配置されたボックスに取り付けられるように構成されている。上記取付枠は、例えば、ＪＩＳ（Japanese Industrial Standards）で規格化された大角形連用配線器具の取付枠である。上記取付枠には、上記取付枠の前面を覆うプレート１２を取り付けることができる。
【００３２】
設定部８は、可変抵抗器１３と、可変抵抗器１３のボリュームに回転自在に取り付けられた操作部１４とを備えている。
【００３３】
可変抵抗器１３は、第１の直流電圧Ｖ１の大きさを設定するための抵抗値を可変とするように構成されている。可変抵抗器１３は、例えば、３つの端子１３１，１３２，１３３（図１参照）を備えたポテンショメータである。ポテンショメータは、分圧器として使用される。ポテンショメータは、２つの端子（以下、第１端子１３１と第２端子１３２）が抵抗素子の両端に接続され、残りの端子（以下、第３端子１３３）が抵抗素子に沿って機械的に移動することができる摺動接点に接続されている。
【００３４】
可変抵抗器１３は、上記モジュール基板に電気的に実装されている。可変抵抗器１３の第１端子１３１は、電源部７である電解コンデンサの高電位側と電気的に接続されている。可変抵抗器１３の第２端子１３２は、調光装置１０のグランドと電気的に接続されている。可変抵抗器１３の第３端子１３３は、制御回路５と電気的に接続されている。調光装置１０では、可変抵抗器１３の抵抗値によって、第１の直流電圧Ｖ１の大きさが設定される。
【００３５】
操作部１４は、ケース１１の前面側で露出するように設けられている。調光装置１０では、操作部１４が操作されることによって、可変抵抗器１３の抵抗値が変更される。言い換えれば、調光装置１０では、操作部１４が操作されることによって、第１の直流電圧Ｖ１の大きさが設定される。
【００３６】
なお、調光装置１０では、可変抵抗器１３としてロータリーポテンショメータを用いているが、これに限らない。可変抵抗器１３は、例えば、リニアポテンショメータであってもよい。
【００３７】
制御回路５は、設定部８により設定された第１の直流電圧Ｖ１の大きさに基づいて、駆動部４を制御することで開閉部３の導通角の大きさを変更するように構成されている。制御回路５は、図２に示すように、第１の直流電圧Ｖ１の大きさ（アナログ値）をデジタル値に変換する変換部１５と、変換部１５により変換されたデジタル値に基づいて開閉部３の導通角の大きさを決定する演算部１６とを備えている。
【００３８】
変換部１５は、例えば、上記マイクロコンピュータ５１に予め設けられたアナログ／デジタル変換器であってもよい。変換部１５は、可変抵抗器１３の第３端子１３３と電気的に接続されている。
【００３９】
演算部１６は、例えば、上記マイクロコンピュータ５１に予め設けられた演算器であってもよい。上記マイクロコンピュータ５１の上記メモリには、変換部１５により変換されたデジタル値と開閉部３の導通角の大きさとが対応付けられた第１データテーブルが記憶されている。演算部１６は、上記メモリに記憶された第１データテーブルに従って、変換部１５により変換されたデジタル値に対応する開閉部３の導通角の大きさを決定する。
【００４０】
なお、制御回路５は、調光装置１０に接続された照明負荷２１がＬＥＤ照明装置と白熱電球との何れかであるかに応じて、異なる大きさの導通角を設定する（詳しくは後述する）。従って、例えば第１データテーブルは、第１の設定用テーブルと第２の設定用テーブルとを含む。第１の設定用テーブルでは、変換部１５からの各デジタル値（第１の直流電圧Ｖ１の各値に対応）に対して、照明負荷２１がＬＥＤ照明装置の場合の開閉部３の導通角が対応付けられている。第２の設定用テーブルでは、変換部１５からの各デジタル値（第１の直流電圧Ｖ１の各値に対応）に対して、照明負荷２１が白熱電球の場合の開閉部３の導通角が対応付けられている。なお、第１データテーブルは、例えば、変換部１５からの各デジタル値（第１の直流電圧Ｖ１の各値に対応）に対して、照明負荷２１がＬＥＤ照明装置の場合の開閉部３の導通角と照明負荷２１が白熱電球の場合の開閉部３の導通角とがそれぞれ対応付けられた、一つのデータテーブルであってもよい。
【００４１】
制御回路５は、駆動部４を制御するための制御信号Ｓ１を駆動部４へ出力するように構成されている。制御信号Ｓ１は、例えば、ＰＷＭ（Pulse Width Modulation）信号である。上記メモリには、演算部１６により決定された開閉部３の導通角の大きさと制御信号Ｓ１のオンデューティ比とが対応付けられた第２データテーブルが記憶されている。
【００４２】
制御回路５は、上記メモリに記憶された第２データテーブルに従って、演算部１６により決定された開閉部３の導通角の大きさに対応するオンデューティ比を含む制御信号Ｓ１を出力するように構成されている。これにより、駆動部４は、制御回路５から出力された制御信号Ｓ１のオンデューティ比に従って、開閉部３をオン状態にすることが可能となる。すなわち、制御回路５は、操作部１４（設定部８）により設定された第１の直流電圧Ｖ１の大きさに応じた導通角で、開閉部３がオンするように、駆動部４を制御する。よって、調光装置１０では、操作部１４が操作されることによって、開閉部３のオン期間を変更することが可能となり、照明負荷２１を調光することが可能となる。なお、制御信号Ｓ１のオン期間の開始時点は、制御回路５が交流電源２０の交流電圧のゼロクロスを検出した時点に対応する。
【００４３】
図１に示すように、制御回路５は、照明負荷２１がＬＥＤ照明装置と白熱電球との何れであるかを判定する判定部９を備えている。判定部９は、例えば、図１に示すように、抵抗Ｒ２の両端電圧を平均化する平均化回路９０（例えば、コンデンサを備える）と、平均化回路９０の出力電圧と所定の閾値Ｖｒｅｆ２とを比較するコンパレータ９００とを備える。なお判定部９は、上記マイクロコンピュータ５１に含まれていてもよい。例えば、マイクロコンピュータ５１のＡ／Ｄ変換ポートに入力された抵抗Ｒ２の両端間の電圧を、マイクロコンピュータ５１が備えるデジタル値（閾値Ｖｒｅｆ２）と比較する構成であってもよい。
【００４４】
判定部９は、整流部６により全波整流された電圧に対応する第２の直流電圧Ｖ２が入力されるように構成されている。図１に示すように、調光装置１０は、２つの抵抗Ｒ１，Ｒ２を備えている。抵抗Ｒ１の一端は、上記ダイオードブリッジにおける上記一方の出力端子６３と電気的に接続されている。抵抗Ｒ１の他端は、抵抗Ｒ２の一端と電気的に接続されている。また、抵抗Ｒ２の一端（抵抗Ｒ１の他端と抵抗Ｒ２の一端の接続点）は、判定部９と電気的に接続されている。抵抗Ｒ２の他端は、調光装置１０のグランドと電気的に接続されている。これにより、判定部９には、整流部６により全波整流された電圧が、抵抗Ｒ１と抵抗Ｒ２との直列回路により分圧された電圧（抵抗Ｒ２の両端電圧）が入力される。言い換えれば、判定部９には、整流部６により全波整流された電圧に対応する第２の直流電圧Ｖ２が入力される。要するに、調光装置１０では、抵抗Ｒ２の両端電圧が、第２の直流電圧Ｖ２に相当する。
【００４５】
判定部９は、整流部６に交流電圧が供給されてから（整流部６への交流電圧の供給が開始された時点から）所定時間が経過するまでの期間（判定期間）Ｔ１（図４，５参照）における第２の直流電圧Ｖ２に基づいて、照明負荷２１がＬＥＤ照明装置と白熱電球との何れであるかを判定するように構成されている。なお、以下では、説明の便宜上、期間Ｔ１を、「第１期間Ｔ１」と称する。
【００４６】
判定部９は、例えば、電源部７から制御回路５（判定部９）に電力が供給された時、または抵抗Ｒ２の両端電圧が所定値以上となった時に、整流部６への交流電圧の供給が開始されたと判定する。
【００４７】
制御回路５は、第１期間Ｔ１のときに、開閉部３がオフ状態を維持するように駆動部４を制御する。なお、制御回路５は、上記所定時間が経過した後、開閉部３がオンオフするように駆動部４を制御する。
【００４８】
判定部９は、第１期間Ｔ１における第２の直流電圧Ｖ２の平均値が予め設定された閾値Ｖｒｅｆ２（判定用閾値）以上のときに照明負荷２１が白熱電球であると判定するように構成されている。また、判定部９は、上記平均値が上記閾値Ｖｒｅｆ２未満のときに照明負荷２１がＬＥＤ照明装置であると判定するように構成されている。上記閾値Ｖｒｅｆ２は、照明負荷２１が白熱電球である場合の第１期間Ｔ１における第２の直流電圧Ｖ２の平均値より小さく、かつ、照明負荷２１がＬＥＤ照明装置である場合の第１期間Ｔ１における第２の直流電圧Ｖ２の平均値よりも大きな値に、設定されている。これにより、判定部９は、照明負荷２１がＬＥＤ照明装置と白熱電球との何れであるかを判定することが可能となる。
【００４９】
図４は、照明負荷２１が白熱電球である場合の整流部６の入力電圧Ｖ３の電圧波形と第２の直流電圧Ｖ２の電圧波形とを表している。図５は、照明負荷２１がＬＥＤ照明装置である場合の整流部６の入力電圧Ｖ３の電圧波形と第２の直流電圧Ｖ２の電圧波形とを表している。図４，５中のｔ０は、整流部６に交流電圧が供給された時点（整流部６への交流電圧の供給が開始された時点）を表している。また、図４，５中のｔ１は、所定時間が経過した時点を表している。
【００５０】
また、制御回路５は、交流電源２０の周波数が５０Ｈｚと６０Ｈｚとの何れであるかを判定する機能を備えていてもよい。制御回路５は、第１期間Ｔ１における第２の直流電圧Ｖ２に基づいて、交流電源２０の周波数が５０Ｈｚと６０Ｈｚとの何れであるかを判定するように構成されている。交流電源２０の周波数が５０Ｈｚと６０Ｈｚとの何れであるかを判定する手段は、例えば、上記マイクロコンピュータ５１に予め設けられた周波数カウンタであってもよい。
【００５１】
制御回路５は、交流電源２０の周波数が５０Ｈｚと６０Ｈｚとの何れであるかを判定するときに、照明負荷２１がＬＥＤ照明装置と白熱電球との何れであるかを判定するように構成されていてもよい。これにより、調光装置１０では、交流電源２０の周波数が５０Ｈｚと６０Ｈｚとの何れであるかを判定した後に、照明負荷２１がＬＥＤ照明装置と白熱電球との何れであるかを判定する場合に比べて、整流部６に交流電圧が供給されてから照明負荷２１が調光するまでの時間が長くなるのを抑制することが可能となる。なお、本実施形態の制御回路５では、第１期間Ｔ１は、交流電源２０の周波数が５０Ｈｚと６０Ｈｚとの何れであるかを判定する期間（以下、第２期間）と同じ期間に設定されているが、これに限らない。第１期間Ｔ１は、例えば、第２期間よりも短い期間に設定されていてもよい。
【００５２】
判定部９は、上記平均値（第１期間Ｔ１における第２の直流電圧Ｖ２の平均値）が上記閾値Ｖｒｅｆ２以上のときに照明負荷２１が白熱電球であると判定し、上記平均値が上記閾値Ｖｒｅｆ２未満のときに照明負荷２１がＬＥＤ照明装置であると判定するように構成されているが、これに限らない。判定部９は、第２の直流電圧Ｖ２の波形に基づいて、照明負荷２１がＬＥＤ照明装置と白熱電球との何れであるかを判定するように構成されていてもよい。具体的に説明すると、判定部９は、第２の直流電圧Ｖ２の波形と予め設定された基準波形とのパターンマッチングによる一致度に基づいて、照明負荷２１がＬＥＤ照明装置と白熱電球との何れであるかを判定するように構成されていてもよい。
【００５３】
ここで、制御回路５とは異なる制御回路を備えた調光装置（以下、比較例の調光装置）を想定する。この比較例の調光装置の制御回路は、例えば判定部９を備えておらず、照明負荷２１が白熱電球であるかＬＥＤ照明装置であるかに関わらずに、第１の直流電圧Ｖ１に応じて導通角を決定する。なお、比較例の調光装置では、調光装置１０と同様の構成要素に同一の符号を付して説明を適宜省略する。また、以下では、説明の便宜上、調光装置１０における制御回路５を「第１制御回路５」と称し、比較例の調光装置における制御回路を「第２制御回路」と称することもある。
【００５４】
また以下では、比較例の調光装置の一対の端子１，２間に、照明負荷２１として白熱電球が接続される場合と、照明負荷２１としてＬＥＤ照明装置が接続される場合を想定する。
【００５５】
第２制御回路は、照明負荷２１が白熱電球やＬＥＤ照明装置に関わらず、開閉部３の導通角が、図６に示すように、第１の直流電圧Ｖ１の増加に対して一定の割合で増加するように、駆動部４を制御する。図６の縦軸は、開閉部３の導通角の大きさを表している。図６の横軸は、第１の直流電圧Ｖ１の大きさを表している。図６中の実線で示した直線は、照明負荷２１がＬＥＤ照明装置である場合と照明負荷２１が白熱電球である場合とを表している。
【００５６】
比較例の調光装置において照明負荷２１が白熱電球である場合、照明負荷２１の両端電圧Ｖ４の電圧波形と、開閉部３に流れる電流Ｉ１の電流波形とを、図７に示す。図７中のｔ２，ｔ４は、開閉部３がオン状態からオフ状態になった時点を表している。図７中のｔ３は、開閉部３がオフ状態からオン状態になった時点を表している。
【００５７】
また、比較例の調光装置において照明負荷２１がＬＥＤ照明装置である場合、照明負荷２１の両端電圧Ｖ４の電圧波形と、開閉部３に流れる電流Ｉ１の電流波形とを、図８に示す。図８中のｔ５，ｔ８は、開閉部３がオン状態からオフ状態になった時点を表している。図８中のｔ６，ｔ９は、ＬＥＤ照明装置の平滑コンデンサに予め蓄積された電荷が放電された時点を表している。図８中のｔ７は、開閉部３がオフ状態からオン状態になった時点を表している。図８中のｔ５は、図７中のｔ２と同じ時点である。図８中のｔ７は、図７中のｔ３と同じ時点である。図８中のｔ８は、図７中のｔ４と同じ時点である。
【００５８】
比較例の調光装置では、図９に示すような第１の直流電圧Ｖ１と照明負荷２１の光出力との関係が得られる。図９の縦軸は、照明負荷２１の光出力の大きさを表している。図９の横軸は、第１の直流電圧Ｖ１の大きさを表している。図９中の実線で示した曲線は、照明負荷２１がＬＥＤ照明装置である場合を表している。図９中の一点鎖線で示した曲線は、照明負荷２１が白熱電球である場合を表している。
【００５９】
比較例の調光装置において照明負荷２１がＬＥＤ照明装置である場合、開閉部３であるＭＯＳＦＥＴがオフされた後であっても、ＬＥＤ照明装置のコンデンサに蓄積された電荷が放出される期間（図８のｔ５〜ｔ６）の間、ＬＥＤに電流が流れる可能性がある。従って、比較例の調光装置で点灯される場合の照明負荷２１の光出力は、図９に示すように、第１の直流電圧Ｖ１の最小値および最大値それぞれに対応する照明負荷２１の光出力を除いた照明負荷２１が白熱電球である場合の照明負荷２１の光出力に比べて、大きくなる可能性がある。これにより、比較例の調光装置では、照明負荷２１がＬＥＤ照明装置である場合、照明負荷２１の光出力が所望の光出力よりも大きくなる可能性がある。よって、比較例の調光装置では、照明負荷２１がＬＥＤ照明装置である場合、照明負荷２１の光出力を、照明負荷２１が白熱電球である場合の照明負荷２１の光出力を変化させるときと同じように変化させることが難しい。
【００６０】
一方、本実施形態の調光装置１０の第１制御回路５は、判定部９により照明負荷２１がＬＥＤ照明装置であると判定された場合、第１の直流電圧Ｖ１の最小値および最大値それぞれに対応する開閉部３の導通角以外の開閉部３の導通角が、判定部９により照明負荷２１が白熱電球であると判定された場合に比べて小さくなるように、駆動部４を制御する。
【００６１】
例えば第１制御回路５は、図１０に示すように、判定部９により照明負荷２１が白熱電球であると判定された場合、第１の直流電圧Ｖ１の増加に対して開閉部３の導通角が一定の割合で増加するように、駆動部４を制御する。また、第１制御回路５は、判定部９により照明負荷２１がＬＥＤ照明装置であると判定された場合、第１の直流電圧Ｖ１の増加に対して開閉部３の導通角が徐々に大きな割合で増加するように、駆動部４を制御する。図１０の縦軸は、開閉部３の導通角の大きさを表している。図１０の横軸は、第１の直流電圧の大きさを表している。図１０中の一点鎖線で示した直線は、判定部９により照明負荷２１が白熱電球であると判定された場合を表している。図１０中の実線で示した曲線は、判定部９により照明負荷２１がＬＥＤ照明装置であると判定された場合を表している。
【００６２】
調光装置１０において照明負荷２１がＬＥＤ照明装置である場合、照明負荷２１の両端電圧Ｖ４の電圧波形と、開閉部３に流れる電流Ｉ１の電流波形とを、図１１に示す。図１１中のｔ１０，ｔ１３は、開閉部３がオン状態からオフ状態になった時点を表している。図１１中のｔ１１，ｔ１４は、ＬＥＤ照明装置の平滑コンデンサに予め蓄積された電荷が放電された時点を表している。図１１中のｔ１２は、開閉部３がオフ状態からオン状態になった時点を表している。
【００６３】
例えば制御回路５は、判定部９により照明負荷２１がＬＥＤ照明装置であると判定された場合、設定部８で設定された第１の直流電圧Ｖ１の大きさに応じて、ＬＥＤ照明装置用の第１のオン時間（ＬＥＤ照明装置用の導通角に対応）を選択する。制御回路５は、（交流電源２０）の交流電圧の絶対値が所定のしきい値Ｖｒｅｆ１（０付近）以下となった時に、開閉部３をオンする。制御回路５は、照明負荷２１がＬＥＤ照明装置である場合には、開閉部３をオンしてから第１のオン時間が経過した時点で、開閉部３をオフする。
【００６４】
例えば制御回路５は、判定部９により照明負荷２１が白熱電球であると判定された場合、設定部８で設定された第１の直流電圧Ｖ１に応じて、白熱電球用の第２のオン時間（白熱電球用の導通角に対応）を選択する。制御回路５は、（交流電源２０）の交流電圧の絶対値が所定のしきい値Ｖｒｅｆ１（０付近）以下となった時に、開閉部３をオンする。制御回路５は、照明負荷２１が白熱電球である場合には、開閉部３をオンしてから第２のオン時間が経過した時点で、開閉部３をオフする。
【００６５】
本実施形態の調光装置１０では、図１２に示すような第１の直流電圧Ｖ１と照明負荷２１の光出力との関係が得られる。図１２の縦軸は、照明負荷２１の光出力の大きさを表している。図１２の横軸は、第１の直流電圧Ｖ１の大きさを表している。図１２中の実線で示した曲線は、照明負荷２１がＬＥＤ照明装置である場合と照明負荷２１が白熱電球である場合とを表している。
【００６６】
調光装置１０において照明負荷２１がＬＥＤ照明装置である場合の照明負荷２１の光出力は、図１２に示すように、第１の直流電圧Ｖ１が増加するに伴い、照明負荷２１が白熱電球である場合の照明負荷２１の光出力の変化と同じように変化する。これにより、調光装置１０では、照明負荷２１がＬＥＤ照明装置である場合、照明負荷２１の光出力を、照明負荷２１が白熱電球である場合の照明負荷２１の光出力を変化させるときと同じように変化させることが可能となる。すなわち、調光装置１０では、照明負荷２１としてＬＥＤ照明装置が接続された場合、ＬＥＤ照明装置の光出力を、白熱電球の光出力を変化させるときと同じように変化させることが可能となる。
【００６７】
以上説明した本実施形態の調光装置１０は、一対の端子１，２と、開閉部３と、駆動部４と、制御回路５と、整流部６と、電源部７と、設定部８とを備えている。開閉部３は、一対の端子１，２間に接続される。駆動部４は、開閉部３を駆動するように構成される。制御回路５は、駆動部４を制御するように構成される。整流部６は、一対の端子１，２間に開閉部３と並列に接続され、交流電圧を全波整流するように構成される。電源部７は、整流部６により全波整流された電圧から所定の直流電圧を生成して駆動部４および制御回路５それぞれに前記所定の直流電圧を供給するように構成される。設定部８は、開閉部３の導通角に対応する第１の直流電圧Ｖ１を設定するように構成される。制御回路５は、駆動部４を制御することで前記交流電圧を逆位相制御するように構成され、かつ、設定部８により設定された第１の直流電圧Ｖ１の大きさに基づいて駆動部４を制御することで、開閉部３の導通角の大きさを変更（調整）するように構成されている。制御回路５は判定部９を備える。判定部９は、一対の端子１，２間に前記交流電圧を出力する交流電源２０と照明負荷２１との直列回路が接続されたときに、照明負荷２１がコンデンサを備えたＬＥＤ照明装置と白熱電球との何れであるかを判定するように構成される。判定部９は、整流部６に前記交流電圧が供給されてから所定時間が経過するまでの期間Ｔ１の整流部６により全波整流された電圧に対応する第２の直流電圧Ｖ２に基づいて、照明負荷２１が前記ＬＥＤ照明装置と前記白熱電球との何れであるかを判定するよう構成される。制御回路５は、判定部９により照明負荷２１が前記ＬＥＤ照明装置であると判定された場合、第１の直流電圧Ｖ１の最小値および最大値それぞれに対応する開閉部３の導通角以外の開閉部３の導通角が、判定部９により照明負荷２１が前記白熱電球であると判定された場合に比べて小さくなるように、駆動部４を制御するように構成される。
【００６８】
例えば、制御回路５は、判定部９により照明負荷２１がＬＥＤ照明装置であると判定された場合、第１の直流電圧Ｖ１の値に応じて、ＬＥＤ照明装置用の第１のオン時間を決定する。制御回路５は、交流電圧の絶対値が所定のしきい値Ｖｒｅｆ１以下となった時に、開閉部３をオンする。制御回路５は、（判定部９により照明負荷２１がＬＥＤ照明装置であると判定された場合、）開閉部３をオンしてから第１のオン時間が経過した時点で、開閉部３をオフする。
【００６９】
また、制御回路５は、判定部９により照明負荷２１が白熱電球であると判定された場合、第１の直流電圧Ｖ１の値に応じて、白熱電球用の第２のオン時間を決定する。制御回路５は、交流電圧の絶対値が所定のしきい値Ｖｒｅｆ１以下となった時に、開閉部３をオンする。制御回路５は、（判定部９により照明負荷２１が白熱電球であると判定された場合、）開閉部３をオンしてから第２のオン時間が経過した時点で、開閉部３をオフする。
【００７０】
上記のように、本実施形態の調光装置１０では、制御回路５が、判定部９により照明負荷２１がＬＥＤ照明装置であると判定された場合、第１の直流電圧Ｖ１の最小値および最大値それぞれに対応する開閉部３の導通角以外の開閉部３の導通角が、判定部９により照明負荷２１が白熱電球であると判定された場合に比べて小さくなるように、駆動部４を制御する。これにより、調光装置１０では、コンデンサを備えたＬＥＤ照明装置の光出力を、白熱電球の光出力を変化させるときと同じように変化させることが可能となる。
【００７１】
判定部９は、期間Ｔ１における第２の直流電圧Ｖ２の平均値が予め設定された閾値Ｖｒｅｆ２以上のときに照明負荷２１が前記白熱電球であると判定し、前記平均値が前記閾値Ｖｒｅｆ２未満のときに照明負荷２１が前記ＬＥＤ照明装置であると判定するように構成されていることが好ましい。
【００７２】
これにより、判定部９は、照明負荷２１がコンデンサを備えたＬＥＤ照明装置と白熱電球との何れであるかを、より精度高く判定することが可能となる。
【００７３】
判定部９は、期間Ｔ１における第２の直流電圧Ｖ２の波形に基づいて、照明負荷２１が前記ＬＥＤ照明装置と前記白熱電球との何れであるかを判定するように構成されていることが好ましい。
【００７４】
これにより、判定部９は、照明負荷２１がコンデンサを備えたＬＥＤ照明装置と白熱電球との何れであるかを、より精度高く判定することが可能となる。
【００７５】
制御回路５は、判定部９により照明負荷２１が前記白熱電球であると判定された場合に、第１の直流電圧Ｖ１の増加に対して開閉部３の導通角が一定の割合で増加するように駆動部４を制御し、かつ、判定部９により照明負荷２１が前記ＬＥＤ照明装置であると判定された場合に、第１の直流電圧Ｖ１の増加に対して開閉部３の導通角が徐々に大きな割合で増加するように駆動部４を制御することが好ましい。
【００７６】
これにより、調光装置１０では、コンデンサを備えたＬＥＤ照明装置の光出力の変化を、白熱電球の光出力の変化と同じにすることが可能となる。
【００７７】
一例において、図１，２に示すように、整流部６はダイオードブリッジを含み、電源部７は、定電圧素子（３端子レギュレータ７１）と電解コンデンサ７２とを含み、設定部８は可変抵抗器１３を含む。ダイオードブリッジの一対の入力端子６１，６２は、調光装置１０の一対の端子１，２にそれぞれ接続される。ダイオードブリッジの正出力端子６３は、定電圧素子の正極側の入力端子（３端子レギュレータ７１の入力端子）に接続され、ダイオードブリッジの負出力端子６４は、定電圧素子の負極側の入力端子（３端子レギュレータ７１のグランド端子）に接続される。定電圧素子の正極側の出力端子（３端子レギュレータ７１の出力端子）は、電解コンデンサ７２の正電極側に接続され、定電圧素子の負極側の出力端子（３端子レギュレータ７１のグランド端子）は、電解コンデンサ７２の負電極側に接続される。電解コンデンサ７２の正電極側と負電極側との間に、可変抵抗器１３が接続される。
【００７８】
また図３に示すように、設定部８は、操作部１４を含む。操作部１４は可変抵抗器１３に取り付けられ、これにより可変抵抗器１３の抵抗値は操作部１４の操作に応じて変化する。操作部１４は、第１端１４１と第２端１４２との間を含む操作範囲を有する。設定部８は、電源部７の出力電圧と、操作部１４の操作範囲内の位置（回転位置）に応じて決まる可変抵抗器１３の抵抗値と、によって、第１の直流電圧Ｖ１を決定する。
【００７９】
一例において、制御回路５は、設定部８により設定される第１の直流電圧Ｖ１と、ＬＥＤ照明装置用の導通角と、白熱電球用の導通角と、をそれぞれ対応付けたデータテーブル（第１データテーブル）を有する。第１データテーブルでは、例えば、ＬＥＤ最大明るさに対する、操作部１４が上記操作範囲の各位置にあるときのＬＥＤ照明装置の明るさの割合が、電球最大明るさに対する、上記操作範囲の同一位置の白熱電球の明るさの割合と、実質的に等しくなるように、白熱電球用の導通角およびＬＥＤ照明装置用の導通角が設定されている。ここで、ＬＥＤ最大明るさは、操作部１４が上記操作範囲の第１端１４１にあるときのＬＥＤ照明装置の明るさである。また、電球最大明るさは、操作部１４が上記操作範囲の第１端１４１にあるときの白熱電球の明るさである。
【００８０】
言い換えれば、第１データテーブルでは、ＬＥＤ最大明るさに対する、第１の直流電圧Ｖ１が各値のときのＬＥＤ照明装置の明るさの割合が、電球最大明るさに対する、第１の直流電圧Ｖ１が同一の値のときの白熱電球の明るさの割合と、実質的に等しくなるように、白熱電球用の導通角およびＬＥＤ照明装置用の導通角が設定されている。ＬＥＤ最大明るさは、第１の直流電圧Ｖ１が最大値のときのＬＥＤ照明装置の明るさに対応する。電球最大明るさは、第１の直流電圧Ｖ１が最大値のときの白熱電球の明るさに対応する。すなわち、第１データテーブルでは、操作部１４の位置の変化に応じて、ＬＥＤ照明装置の明るさが、白熱電球の明るさの変化と同じように変化するように、白熱電球用の導通角およびＬＥＤ照明装置用の導通角が設定されている。
【００８１】
一具体例において、第１データテーブルは、設定部８により設定される第１の直流電圧Ｖ１とＬＥＤ照明装置用の導通角とを対応付けた第１の設定用テーブルと、第１の直流電圧Ｖ１と白熱電球用の導通角とを対応付けた第２の設定用テーブルとを含む。
【００８２】
言い換えれば、制御回路５は第１の設定用テーブルと第２の設定用テーブルとを有する。第１の設定用テーブルは、判定部９により照明負荷２１がＬＥＤ照明装置であると判定された場合に、第１の直流電圧Ｖ１に応じて開閉部３のオン時間を決定するために用いられる。第２の設定用テーブルは、判定部９により照明負荷２１が白熱電球であると判定された場合に、第１の直流電圧Ｖ１に応じて開閉部３のオン時間を決定するために用いられる。
【００８３】
第１の設定用テーブルと第２の設定用テーブルとの一例を、表１（第１の設定用テーブル）、表２（第２の設定用テーブル）に示す。
【００８４】
【表１】
2019033098.tif 000003
【００８５】
【表２】
2019033098.tif 000004
【００８６】
表１において、Ｐ１〜ＰＮは、操作部１４の操作範囲（第１端１４１〜第２端１４２の範囲）を等分に分ける位置を示す。Ｖ１１〜Ｖ１Ｎは、照明負荷２１がＬＥＤ照明装置の場合において、操作部１４の位置がＰ１〜ＰＮのそれぞれのときの、第１の直流電圧Ｖ１の値を示す。Ｄ１１〜Ｄ１Ｎは、照明負荷２１がＬＥＤ照明装置の場合において、操作部１４の位置がＰ１〜ＰＮのそれぞれのとき（第１の直流電圧Ｖ１の値がＶ１１〜Ｖ１Ｎのそれぞれのとき）の、開閉部３の導通角を示す。Ｂ１〜ＢＮは、操作部１４が第１端１４１（Ｐ１）にあるときのＬＥＤ照明装置の明るさに対する、操作部１４が位置Ｐ１〜ＰＮにあるときのＬＥＤ照明装置の明るさの、割合を示す。例えば、図１２の例では、明るさの割合は、ＢＮを下限とする所定の範囲（第１の範囲）では０％である。また明るさの割合は、Ｂ１を上限とする所定の範囲（第２の範囲）では１００％である。また明るさの割合は、第１の範囲の上限から第２の範囲の下限の範囲では、単調に変化する。
【００８７】
表２において、Ｐ１〜ＰＮは、操作部１４の操作範囲（第１端１４１〜第２端１４２の範囲）を等分に分ける位置を示す。Ｖ１１〜Ｖ１Ｎは、照明負荷２１が白熱電球の場合において、操作部１４の位置がＰ１〜ＰＮのそれぞれのときの、第１の直流電圧Ｖ１の値を示す。Ｄ２１〜Ｄ２Ｎは、照明負荷２１が白熱電球の場合において、操作部１４の位置がＰ１〜ＰＮのそれぞれのとき（第１の直流電圧Ｖ１の値がＶ１１〜Ｖ１Ｎのそれぞれのとき）の、開閉部３の導通角を示す。Ｂ１〜ＢＮは、操作部１４が第１端１４１（Ｐ１）にあるときの白熱電球の明るさに対する、操作部１４が位置Ｐ１〜ＰＮにあるときの白熱電球の明るさの、割合を示す。例えば、図１２の例では、明るさの割合は、ＢＮを下限とする所定の範囲（第１の範囲）では０％である。また明るさの割合は、Ｂ１を上限とする所定の範囲（第２の範囲）では１００％である。また明るさの割合は、第１の範囲の上限から第２の範囲の下限の範囲では、単調に変化する。
【００８８】
表１，２の最右列に示すように、操作部１４が第１端１４１にあるときの照明負荷２１の明るさに対する、操作部１４が操作範囲内の各位置にあるときの照明負荷２１の明るさの割合は、照明負荷２１がＬＥＤ照明装置であっても白熱電球であっても同じになる。
【００８９】
なお、第１の設定用テーブルおよび第２の設定用テーブルにおいて、「操作部１４の位置」「明るさの割合」の項目はオプションであり、第１の設定用テーブルおよび第２の設定用テーブルはこれらの項目を含まなくてもよい。
【００９０】
別の具体例において、第１データテーブルは、設定部８により設定される第１の直流電圧Ｖ１と、ＬＥＤ照明装置用の導通角と、白熱電球用の導通角とをそれぞれ対応付けた一つの設定用テーブルを含む。設定用テーブルの一例を、表３に示す。
【００９１】
【表３】
2019033098.tif 000005
【００９２】
表３において、Ｐ１〜ＰＮは、操作部１４の操作範囲（第１端１４１〜第２端１４２の範囲）を等分に分ける位置を示す。Ｖ１１〜Ｖ１Ｎは、操作部１４の位置がＰ１〜ＰＮのそれぞれのときの、第１の直流電圧Ｖ１の値を示す。Ｄ１１〜Ｄ１Ｎは、照明負荷２１がＬＥＤ照明装置の場合において、操作部１４の位置がＰ１〜ＰＮのそれぞれのとき（第１の直流電圧Ｖ１の値がＶ１１〜Ｖ１Ｎのそれぞれのとき）の、開閉部３の導通角を示す。Ｄ２１〜Ｄ２Ｎは、照明負荷２１が白熱電球の場合において、操作部１４の位置がＰ１〜ＰＮのそれぞれのとき（第１の直流電圧Ｖ１の値がＶ１１〜Ｖ１Ｎのそれぞれのとき）の、開閉部３の導通角を示す。Ｂ１〜ＢＮは、操作部１４が第１端１４１（Ｐ１）にあるときの照明負荷２１の明るさに対する、操作部１４が位置Ｐ１〜ＰＮにあるときの照明負荷２１の明るさの、割合を示す。例えば、図１２の例では、明るさの割合は、ＢＮを下限とする所定の範囲（第１の範囲）では０％である。また明るさの割合は、Ｂ１を上限とする所定の範囲（第２の範囲）では１００％である。また明るさの割合は、第１の範囲の上限から第２の範囲の下限の範囲では、単調に変化する。
【００９３】
なお、設定用テーブルにおいて、「操作部１４の位置」「明るさの割合」の項目はオプションであり、設定用テーブルはこれらの項目を含まなくてもよい。
【００９４】
一例において、制御回路５は、整流部６に交流電圧が供給されてから所定時間が経過するまでの期間（第１期間Ｔ１）の整流部６により全波整流された電圧に対応する第２の直流電圧Ｖ２に基づいて、照明負荷２１がＬＥＤ照明装置と白熱電球との何れであるかを判定し、かつ、前記所定時間が経過した後は、前記第２の直流電圧Ｖ２に基づいて、開閉部３をオンするタイミング（交流電源２０の交流電圧がゼロになったことを検出するタイミング）を決定する。
【００９５】
上記では最良の形態および／または他の実施例であると考えられるものについて説明したが、種々の改変がなされてもよく、本明細書で開示される主題は種々の形態および実施例で実施されてもよく、そしてそれらは多数のアプリケーションに適用されてもよいものであり、その最適の幾つかが本明細書に記載されている。以下の特許請求の範囲によって、本教示の真の範囲内に入る任意およびすべての修正および変形を請求するものである。
【符号の説明】
【００９６】
１  端子
２  端子
３  開閉部
４  駆動部
５  制御回路
６  整流部
７  電源部
８  設定部
９  判定部
１０  調光装置
２０  交流電源
２１  照明負荷
ｔ１  所定時間
Ｔ１  期間
Ｖ１  第１の直流電圧
Ｖ２  第２の直流電圧
【図１】
2019033098.tif 000006
【図２】
2019033098.tif 000007
【図３】
2019033098.tif 000008
【図４】
2019033098.tif 000009
【図５】
2019033098.tif 000010
【図６】
2019033098.tif 000011
【図７】
2019033098.tif 000012
【図８】
2019033098.tif 000013
【図９】
2019033098.tif 000014
【図１０】
2019033098.tif 000015
【図１１】
2019033098.tif 000016
【図１２】
2019033098.tif 000017
【図１３】
2019033098.tif 000018